(57)【要約】【課題】接栓（同軸コネクタ）付きで，しかも，多様な径を有したケーブルに対して容易に取り付けできるようにする。また，たとえ雨水が内部に浸入しても容易に排出できるようにする。【解決手段】防水キャップ１０において，上方を開口した装着部１１と，その内径が装着部１１の内計と同じか大きい一定の寸法となるように形成された筒状本体部１２と，当該筒状本体部１２の下方を閉塞する終端部１５とからなり，当該終端部１５には，前記筒状本体部１２の一方側端面を閉塞する面であって，前記筒状本体部１２の一方側端部１２ａから連続的に略平坦状に延設された終端面１４と，当該終端面１４の範囲内に形成された，少なくとも多様な外径を有するケーブルを挿通自在とするための複数のスリット１７と，からなる終端部１５が備えられている。【選択図】  図１
2010231890.tif 000002
【特許請求の範囲】
【請求項１】
一方は終端部において閉塞され，他方はその先端側を開口した装着部を備えた筒状体からなり，当該筒状体の前記終端部に所定の処置を施すことによって，前記筒状体の内部にケーブルが一方側から他方側に挿通され，このケーブルと屋外用機器の信号入出力部との接続部分を覆うように，前記装着部において前記信号入出力部に装着される柔軟な材質からなる防水キャップにおいて，
前記筒状体は，前記装着部に引き続いて順次同心的に列設するように設けられ，その内径が前記装着部における内径と同じか若しくは大きい一定の寸法となるように形成された筒状本体部を備えており，
前記終端部は，前記筒状本体部の一方側端面を閉塞する面であって，この面の略中央部が，前記筒状本体部の前記一方側端面の略中央部に対して，軸線方向外側に向かって前記筒状本体部の半径と略同じ寸法だけ突出した位置から，軸線方向内側に向かって前記筒状本体部の半径と略同じ寸法だけ凹んだ位置までの間の何れかに位置するように，前記筒状本体部の一方側端部から連続的に延設された終端面と，少なくとも多様な外径を有するケーブルを挿通自在とするためであって，当該終端面に形成された複数のスリットと，を備えるように構成したことを特徴とした防水キャップ。
【請求項２】
前記終端面の略中央部には，前記筒状体の内部に挿通するケーブルの内で最も細径なケーブルの外径より小さい寸法で形成された前記終端面を貫通する貫通孔が設けられており，前記スリットは，前記貫通孔の周縁から前記終端面外側に向かう方向に形成されており，しかも，夫々のスリットは，互いに交差しないように前記終端面に配置されているばかりでなく，当該スリットの形成方向の軸線が前記終端面の略中央部を向かないように配置されていることを特徴とした請求項１に記載の防水キャップ。
【請求項３】
前記スリットの最奥部に，当該スリットと重合するように前記終端面を貫通する貫通孔を備えたことを特徴とした請求項１または請求項２の何れか一項に記載の防水キャップ。
【発明の詳細な説明】
【技術分野】
【０００１】
本発明は，ケーブルと屋外用機器の信号入出力部との接続部分を覆うように装着される防水キャップに関する。
【背景技術】
【０００２】
一般的に，テレビ受信関連機器のアンテナやブースタ，また衛星アンテナのコンバータ等で代表される屋外用機器は，その受信した信号や増幅した信号を，同軸ケーブルを介して屋内に引き込むように構成されている。そのため，前記屋外用機器には，当該屋外用機器の信号入出力端子と同軸ケーブルの接続部分に，例えば雨水等が浸入することによって接触不良を起こさないために，前記接続部分を覆うように形成された防水キャップでカバーすることによって雨水等の浸入防止を図っている。
具体的には，従来技術の防水キャップとして，図９に示される構成のものが提供されている。この実施形態における防水キャップ４０は，図９（ａ）に示されるように，屋外用機器の接続部分に装着される部分である上側の装着部１１と，当該装着部１１に引き続き同心的に列設された，内径が前記装着部１１と同じ大きさからなる本体部１２と，当該本体部１２を閉塞するように備えられ，先端に向かって徐々に縮径するように形成された終端部４５と，からなるように構成されている。そして，この終端部４５には，その内径が使用する同軸ケーブル２０の外径と対応する位置に，切断用マーカ４３，４４（例えば，マーカ４３は５Ｃケーブル用，マーカ４４は３Ｃケーブル用。Ｃ＝７５Ωケーブル）が備えられている。
【０００３】
このように構成された防水キャップ４０と同軸ケーブル（この実施形態では，５Ｃケーブル）２０の装着は，図９（ｂ）に示されるように，先ず終端部４５の５Ｃケーブル用マーカ４３を，例えばはさみ等の周知の手段で切断することで終端部４５に切り口４３ａを形成し，５Ｃケーブル２０に当該切り口４３ａを挿通することで行われる。更に，この状態で，５Ｃケーブル２０の先端部に取り付ける同軸コネクタ５に対応するように，同軸ケーブル２０の先端部を所定の形状に段剥きし，その後に前記同軸コネクタ５を同軸ケーブル２０の先端に装着することで組み付けが完了するのである。そして，このように組み付けが完了したなら，同軸コネクタ５を図９（ｃ）に示される屋外用機器２の信号入出力端子４に螺着すると共に，防水キャップ４０の装着部１１を，前記信号入出力端子４が設けられた筒状台座３に装着することによって，防水キャップ４０は筒状台座３に保持されると共に，同軸コネクタ５と信号入出力端子４の接続部分をカバーすることができるのである。
【０００４】
ところがこのように構成された防水キャップ４０は，終端部４５の処理（この実施形態では切断処理）を同軸ケーブル２０の外径に合わせて行う構成であるため，同軸コネクタ５の取り付けは，同軸ケーブル２０に防水キャップ４０を装着してからでなければできない。そのため，例えば，屋根上などの危険な場所での同軸ケーブル２０の段剥き加工や，同軸コネクタ５の取り付け作業を強いられることになると言う問題があった。
また，接続作業が完了した後でも，例えば，防水キャップ装着が不十分で隙間があったり，台風などのような強風による強い風圧が加わることによって巻き上げられたり，吹き付けられたりする雨水が，前記装着部１１から防水キャップ４０内に浸入してしまう場合が考えられる。ところが従来技術の実施形態では，位置決めマーカ４３において形成された切り口４３ａと同軸ケーブル２０の外部絶縁端とが密着よく当接することから，雨水が浸入した場合，その雨水は防水キャップ４０から流れ出ることなく防水キャップ４０内に溜まり，最悪接続部分に浸入して接触不良を起こす原因となる場合があると言う問題があった。
【０００５】
そこで，このような問題点を解決するために，実公平１−００９３３５号公報によって示されるケーブル用防水キャップが提案されている。この公報によると，屋外用機器の信号入出力端子と同軸ケーブルの接続部分を覆う防水キャップは，この防水キャップの下端を複数の折りたたみ構造としてその中心部に内径が拡大自在なケーブル貫通孔を形成する手段を具備するように構成されている。そして，このように構成されたケーブル用防水キャップによれば，前記貫通孔が防水キャップの上部円筒部の内径と同径まで拡大できるので，接栓つきのケーブルであっても適用することができ，予めケーブルに防水キャップを貫通させ，その後にケーブルに接栓を取り付けるという２度手間を必要とせず，作業性の極めて良いケーブル用防水キャップが実現できる。しかも，公報には明記されていないものの，たとえ防水キャップ内部に雨水が入りこんだとしても，内部に入り込んだ雨水は折りたたんだ隙間から容易に外部に流れ出ることができることが推察されることから，接続部分の保護も確実に行うことができると考えられる。
【先行技術文献】
【特許文献】
【０００６】
【特許文献１】実公平１−００９３３５号公報
【発明の概要】
【発明が解決しようとする課題】
【０００７】
ところが，上記文献で示される従来技術のような折りたたみ構造を備えた防水キャップを，多様な外径を有したケーブルを用いた接栓つきのケーブル（例えば，７Ｃ，５Ｃ，４Ｃなど。）に適用する場合を考えると，次のように構成しなければならないことが分かる。即ち，接栓の大きさは屋外用機器の信号入出力端子によって略決められるため，ケーブルの径が変わっても接栓は同じ大きさであるものの，ケーブルはその外径が様々に異なることから，それに適応するために前記ケーブル貫通孔は，当該貫通孔の一部を使って同軸ケーブルの外周を保持するために，使用が予定されているケーブルの内の最も細いケーブル（例えば，４Ｃケーブル）の外径に対応するような径に形成しておいて，しかも，前記接栓の挿通においては，その挿通が容易に行うことができるよう，前記貫通孔を十分に拡径する構成にしておく必要がある。
つまり，この実施形態の防水キャップを多様な径のケーブルに対応させようとすると，前記ケーブル貫通孔の内径は，上記理由によって使用する最も細いケーブルの径より更に小さい径に形成しておかなければならないことから，この防水キャップの折りたたみ構造は，折りたたみ部分が更に深くなるように折りたたむ必要が生じ，その結果，接栓を挿通するための前記ケーブル貫通孔の拡径操作が，例えば，接栓を貫通孔に押し付けるだけの操作で拡径するような簡単な方法で行うわけにはいかず，指先を使って拡径したり，治具や工具を使って拡径したりする必要が生じ，接栓の挿入操作が相変わらずし難いといった点で問題があった。
そこで本願においては，こうした問題点を解決するためになされたものであり，
その目的は，多様な径のケーブルに対応できる防水キャップを提供することにある。
他の目的は，接栓付のケーブルにも適応できる防水キャップを提供することにある。
他の目的は，ケーブルとの組み付けが容易な防水キャップを提供することにある。
他の目的は，たとえ雨水が内部に浸入しても容易に排出できる防水キャップを提供することにある。
【課題を解決するための手段】
【０００８】
上記課題を解決するために，請求項１の発明は，一方は終端部において閉塞され，他方はその先端側を開口した装着部を備えた筒状体からなり，当該筒状体の前記終端部に所定の処置を施すことによって，前記筒状体の内部にケーブルが一方側から他方側に挿通され，このケーブルと屋外用機器の信号入出力部との接続部分を覆うように，前記装着部において前記信号入出力部に装着される柔軟な材質からなる防水キャップにおいて，
前記筒状体は，前記装着部に引き続いて順次同心的に列設するように設けられ，その内径が前記装着部における内径と同じか若しくは大きい一定の寸法となるように形成された筒状本体部を備えており，
前記終端部は，前記筒状本体部の一方側端面を閉塞する面であって，この面の略中央部が，前記筒状本体部の前記一方側端面の略中央部に対して，軸線方向外側に向かって前記筒状本体部の半径と略同じ寸法だけ突出した位置から，軸線方向内側に向かって前記筒状本体部の半径と略同じ寸法だけ凹んだ位置までの間の何れかに位置するように，前記筒状本体部の一方側端部から連続的に延設された終端面と，少なくとも多様な外径を有するケーブルを挿通自在とするためであって，当該終端面に形成された複数のスリットと，を備えるように構成した。
【０００９】
請求項２の発明は，請求項１に記載の防水キャップにおいて，前記終端面の略中央部には，前記筒状体の内部に挿通するケーブルの内で最も細径なケーブルの外径より小さい寸法で形成された前記終端面を貫通する貫通孔が設けられており，前記スリットは，前記貫通孔の周縁から前記終端面外側に向かう方向に形成されており，しかも，夫々のスリットは，互いに交差しないように前記終端面に配置されているばかりでなく，当該スリットの形成方向の軸線が前記終端面の略中央部を向かないように配置するように構成した。
【００１０】
請求項３の発明は，請求項１または請求項２の何れか一項に記載の防水キャップにおいて，前記スリットの最奥部に，当該スリットと重合するように前記終端面を貫通する貫通孔を備えるように構成した。
【発明の効果】
【００１１】
請求項１の発明によれば，多様な径を有した同軸ケーブルに対応できる優れた汎用性を有しているばかりでなく，予め接栓が取り付けられた同軸ケーブルであっても，防水キャップの下面である終端面を接栓に押し付けるだけの操作でケーブルに挿着できるので，極めて作業性の良い防水キャップを提供できる。
また，本発明の実施形態に係る防水キャップは，予め接栓が取り付けられたケーブルにも対応させたことによって，従来技術のように屋根上などの危険な場所でのケーブルの段剥き加工や，コネクタの取り付け作業などの危険作業をしなくても良くなり，安全作業に最適な防水キャップを提供できる。
また，本発明の実施形態に係る防水キャップは，終端部に設けたスリットによって分割された終端面の夫々の先端部分でもって，接栓の近傍の下方における任意の位置に挟持された状態で存在させておくことができケーブルを伝って下方にずり落ちてしまわないので，接栓の螺合作業において防水キャップを指先等で押えておく必要がなく，工具を使っての接栓の緊締作業を容易に行うことができる。更に接栓の近傍に防水キャップを保持させておけば，緊締作業完了後に直ちに防水キャップを上に移動できるなど，極めて作業性の良い防水キャップを提供できる。
更に，このように防水キャップとケーブルとの取り付けが簡単に行うことができる構成であっても，浸入した雨水をスリットの隙間から下方に排水することができるため，たとえ防水キャップ内に雨水が浸入したとしても直ちに排水でき，屋外用機器と接栓との接続部分に水が入って接触不良を起こしたりすることを防止できるのである。
また，台風などにおいて雨水が強風で吹き上げられる最悪の条件においても，浸入した雨水は直ちに排水されるばかりでなく，防水キャップにおける接続部分より下の部分をカバーする長さを長めに形成しておくことによって，たとえ終端部１５側から浸入したとしても接続部分に達することがない。
【００１２】
請求項２の発明によれば，請求項１に記載の防水キャップにおける前記スリットを特長的に配置したことによって，スリットによって分割された終端面の夫々の先端部分がケーブルの外部絶縁体に対して，ケーブルの軸線に直交する面に対してやや傾いた状態で当接するように構成されるので，雨水は速やかにスリットの隙間から下方に流れ落ち，防水キャップ内に溜まることはないことから，屋外用機器と同軸ケーブルの接続部分を雨水から保護することができる。
【００１３】
更に，請求項３の発明によれば，請求項１または請求項２の何れか一項に記載の防水キャップにおける前記スリットの最奥部に，当該スリットと重合するように前記終端面を貫通する貫通孔を備えるように構成したことによって，接栓付きのケーブルに対応させたとしても，外径の大きな前記接栓の挿入時にスリットが拡開することによってスリットの奥部に力が加わっても，貫通孔の存在によってその力を分散でき，スリットの最奥部が破断してしまうことを防ぐので，更に耐久性の良い防水キャップを提供できる。
【図面の簡単な説明】
【００１４】
【図１】本発明の第１実施形態に係る防水キャップの構成を示す概略図であり，（ａ）は防水キャップの側面下側から見た斜視図，（ｂ）は防水キャップに同軸ケーブルを装着した状態を側面下側から見た斜視図である。
【図２】本発明の第１実施形態に係る防水キャップの組み付け方法と，接続対象である屋外用機器の信号出力端子との装着方法を示す概略側面図であり，（ｂ），（ｃ），（ｄ）で示される防水キャップは，（ａ）における上面図のＸ−Ｘ線で破断した断面図である。
【図３】本発明の第１実施形態に係る防水キャップの他の実施形態を示す側面下側から見た斜視図である。
【図４】本発明の第２実施形態に係る防水キャップの構成を示す概略図であり，（ａ）は防水キャップの側面下側から見た斜視図，（ｂ）は防水キャップに同軸ケーブルを装着した状態を側面下側から見た斜視図である。
【図５】本発明の第３実施形態に係る防水キャップの構成を示す概略図であり，（ａ）は防水キャップの側面下側から見た斜視図，（ｂ）は防水キャップに同軸ケーブルを装着した状態を側面下側から見た斜視図である。
【図６】本発明の実施形態に係る防水キャップの各種実施形態の上面図と下面図である。
【図７】本発明の第３実施形態に係る防水キャップの概略図面であり，（ａ）は防水キャップの下面図，（ｂ）は同軸ケーブルに防水キャップを装着したときの下面図，（ｃ）は（ｂ）は同軸ケーブルに防水キャップを装着したときの側面図である。
【図８】本発明の第４実施形態に係る防水キャップの概略図面であり，（ａ）は防水キャップの下面図，（ｂ）は同軸ケーブルに防水キャップを装着したときの下面図，（ｃ）は同軸ケーブルに防水キャップを装着したときの側面図である。
【図９】従来技術の防水キャップの構成を示す概略図であり，（ａ）は防水キャップの側面下側から見た斜視図，（ｂ）は防水キャップに同軸ケーブルを装着する場合の側面下側から見た斜視図であり，（ｃ）は屋外用機器の信号入出力端子に接続する場合の側面下側から見た斜視図である。
【発明を実施するための形態】
【実施例１】
【００１５】
本発明の第１実施形態にかかる防水キャップについて図１から図２を用いて説明する。図中１０で示されるのが本発明の第１実施形態の防水キャップである。この防水キャップ１０は，例えば合成樹脂材等の柔軟な材質から形成されたものであり，図に示されるように上側を開口し下側を閉塞した，内径が略一定の筒状体１３からなる。
具体的には，前記筒状体１３は，図２に示されている接続対象である屋外用機器２の接続部分である筒状台座３に装着する部分である，前記筒所体１３の上側に備えられた装着部１１と，当該装着部１１に引き続いて順次同心的に列設するように設けられ，その内径が前記装着部における内径と同じ所定寸法となるように形成された筒状本体部１２と，を備えてなる。
更に，前記筒状本体部１２の一方側（下側）端面には，当該筒状本体部１２の一方側端部１２ａから連続的に略平坦状に延設された終端面１４と，当該終端面１４の範囲内に形成された，少なくとも多様な外径を有するケーブルを挿通自在とするための複数のスリット１７と，からなる終端部１５が備えられている。
【００１６】
本発明の第１実施形態に形成された前記スリット１７は，図１（ｂ）に示されているように，ケーブル２０に予め接栓５が組み付けられた状態のケーブル（以下，説明をより具体的にするため，ケーブルは同軸ケーブル２０，接栓は同軸コネクタ５を使用した例を使って説明する。）を，そのままの状態で終端部１５側から挿入できるような寸法及び形状に形成されており，その大きさは前記終端部１５を超えることはない。
また，この実施形態におけるスリット１７は十字状に備えられていることによって，常時は前記筒状体１３の一方側開口面を閉塞するためのものであって，防水キャップ１０に同軸ケーブル２０を挿通した後にあっては，その付勢力で持って当該同軸ケーブル２０の外部絶縁体２１を挟持するように構成された挟持片１６を４つ備えるように構成されている。このため，防水キャップ１０は，例えば合成樹脂材等の柔軟な材質に加え，弾性力の良い材質で構成するのが望ましい。尚，弾性力を高めるために，例えば，終端面１４の肉厚を筒状体１３の肉厚に比べ厚くするなどの処理を施しても良い。また，前記スリット１７は，例えば八方に広がるように備えさせてもよく，スリット１７の数やその形状は実施形態に限定されるものではない。
【００１７】
更に，前記筒状体１３の内径は，使用する同軸コネクタ５の外径形状に合わせればよい。具体的には，この実施形態における同軸コネクタ５は，固定リング６によって同軸ケーブルの外部絶縁体２１を圧着して固定する方法であるので，固定リング６に備えられ，当該固定リング６を工具でもって縮径するためのツマミ７が前記筒状体１３内に充分に収納できるような寸法に形成すればよい。
また，前記筒状体１３の長さは，台風などにおいて雨水が強風で吹き上げられる最悪の条件を考慮して，たとえ終端部１５側から浸入したとしても接続部分に達しないよう，接続部分より下の部分（即ち，筒状本体部１２）の長さを実験的に求めるなどして，長めに形成しておくことが望ましく，一例として，筒状本体部１２の長さは同軸コネクタ５の長さの，少なくとも略１，５倍程度以上あればよい。
【００１８】
次に，このように構成された防水キャップ１０と同軸ケーブル２０の組み付け手順と，屋外用機器への取り付け手順について図２を用いて説明する。
先ず，防水キャップ１０と同軸ケーブル２０の組み付け手順である。図２（ａ），（ｂ）に示されているように，同軸コネクタ５が取り付けられた同軸ケーブル２０を，防水キャップ１０の終端面１４の下方から矢印Ａ方向に向かって押し付けつつ，スリット１７を拡開させながら同軸コネクタ５に続いて同軸ケーブル２０を押し入れ，図２（ｃ）のように同軸コネクタ５が装着部１１より外方向に突出するまで挿入する。この時，前記挟持片１６は，図に良く示されているように同軸ケーブル２０の挿入方向，即ち上方に向かって押し上げられた状態にあり，防水キャップ１０はこの挟持片１６の付勢力によって同軸ケーブル２０の任意の位置に保持される。
【００１９】
次に，屋外用機器２への取り付け手順である。この操作は同軸コネクタ５を屋外用機器２の信号出力端子４に螺着することで始まる。この時，防水キャップ１０は，上述した理由によって同軸コネクタ５の近傍における下方の任意の位置に挟持された状態で存在し，同軸ケーブル２０を伝って下方にずり落ちてしまわないので，同軸コネクタ５の螺合作業において防水キャップ１０を指先等で押えておく必要がなく，レンチ等を使って同軸コネクタ５の緊締作業を容易に行うことができる。
こうして同軸コネクタ５の螺着が済んだなら，次に図２（ｄ）に示されるように，防水キャップ１０を矢印Ｂ方向に押し上げ，防水キャップ１０の装着部１１を屋外用機器２の下部に備えられた筒状台座３に嵌め込むことによって，防水キャップ１０は筒状台座３に保持されると共に，同軸コネクタ５と信号出力端子４の接続部分をカバーすることができるのである。前記筒状台座３の周径は防水キャップ１０の内径より僅かに大きくなるように形成しておけば，防水キャップ１０は筒状台座３に挟着保持され落ちることがない。また，防水キャップ１０を前記筒状台座３に装着するに当たって，防水キャップ１０を矢印Ｂ方向に移動すれば，防水キャップ１０の内側に凹んだように湾曲していた前記挟持片１６は，当該挟持片１６と同軸ケーブル２０の外部絶縁体２１との摩擦によって下方に押し出され，防水キャップ１０の下側に湾曲するように突出すると共に，同軸ケーブル２０の外部絶縁体２１をその付勢力で持って挟持することによって，防水キャップ１０が下方に摺動するのを防止することができる。このため，防水キャップ１０は，上述のように，合成樹脂材等の柔軟な材質で，しかも，弾性力の優れ，更に，粘性のある材質で構成するのが望ましい。
【００２０】
次に，本発明の第１実施形態に係る防水キャップ１０の異なる実施形態について図３を用いて説明する。この異なる実施形態の防水キャップ１０と上記第１実施形態の防水キャップ１０との違いは，図によく示されるように終端部１５の違いにある。即ち，本発明の実施形態に係る防水キャップ１０は，予め同軸コネクタ５が装着された同軸ケーブル２０に，防水キャップ１０の終端部１５を押し付けるようにするだけで簡単に装着できることを目的としているので，終段部１５を従来技術のように下方向に長く形成してしまうと，長い挟持片１６の存在が邪魔になって同軸コネクタ５の挿入がし難くなってしまったり，また逆に，同軸コネクタ５の挿入を容易にするため，挟持片１６を防水キャップ１０内方に深く折り曲げるように構成してしまって，屋外用機器２の筒状台座３に装着するときに防水キャップ１０を上方に移動しても，前記挟持片１６が長くて折返しができずに，防水キャップ１０の内側に収まったままになってしまったりすることがないようにするため，この実施形態では終端部１５の寸法を規定したのである。
本発明の実施形態では，図３（ａ）−１に示されるように，終端面１４の略中央部が，前記筒状本体部１２の前記一方側端面の略中央部に対して，軸線方向外側（図における下方）に向かって前記筒状本体部１２の半径（図３（ａ）−１におけるＲ）と略同じ寸法だけ突出した位置から，図３（ｂ）−１に示されるように，終端面１４の略中央部が，前記筒状本体部１２の前記一方側端面の略中央部に対して，軸線方向内側（図における上方）に向かって前記筒状本体部１２の半径（図３（ｂ）−１におけるＲ）と略同じ寸法だけ凹んだ位置までの間の何れかに位置するように終端面１４を形成すればよいことを示している。
【実施例２】
【００２１】
次に，本発明の実施形態に係る第２実施形態の防水キャップ３０について図４を用いて説明する。この第２実施形態と上記第１実施形態の違いは，筒状本体部１２の内径の違いである。この実施形態によれば図４（ａ）に示されているように，装着部１１に引き続いて，その内径が前記装着部１１における内径より大きい一定の寸法となるように順次同心的に列設するように設けられた筒状本体部１２を備えるように構成されている。
本発明の実施形態に係る第２実施形態の防水キャップ３０は，図４（ｂ）に示されているように，例えば図中９で示されるフィルタやアッテネーターのような外付け部品を取り付ける場合に使用するためのものである。従って，前記筒状本体部１２の内径（即ち，終端部１５の径）は，前記外付け部品９が充分に収納されるように構成すればよい。
また，筒状本体部１２の長さは，前記外付け部品９の信号入力端子９ａを屋外用機器２に接続してから，装着部１１を筒状台座３に装着するために防水キャップ３０を上方に移動しても，外付け部品９の信号出力側（図の下側）が終端面１４に当接しないような長さであると共に，雨水が強風で吹き上げられて終端面１４側から浸入したとしても，前記外付け部品９の信号出力端子９ｂと同軸ケーブル２０の同軸コネクタ５との接続部分に達しないような長さに形成すればよい。一例として，信号出力端子９ｂと同軸コネクタ５を接続した状態で，同軸コネクタ５より下方に位置する筒状本体部１２の長さは，同軸コネクタ５の長さの，少なくとも略１，５倍程度以上あればよい。
更にこの第２実施形態では，終端面１４の略中心部を貫通するように，直径ｄからなる貫通孔１８が形成されていることによって，同軸コネクタ５から更に径の太い外付け部品９に至る挿入操作を容易にしている。この貫通孔１８の内径ｄは，この防水キャップ３０が対応する同軸ケーブル２０（例えば７Ｃから４Ｃケーブル）の内の最も細い径（図４（ｂ）におけるＤ）より細径になるように形成すればよい。
尚，この貫通孔１８は，前記第１実施形態の防水キャップ１０に適応しても良いことは言うまでもない。
【実施例３】
【００２２】
次に，本発明の実施形態に係る第３実施形態の防水キャップについて図５を用いて説明する。この第３実施形態と上記実施形態の違いは，終端部１５に備えた前記スリット１７の最奥部に，当該スリット１７と重合するように前記終端面１４を貫通する貫通孔１９を備えたことである。この実施形態によれば図５（ｂ）に示されているように，外径の大きな同軸コネクタ５の挿入時に挟持片１６が拡開したときに，前記貫通孔１９が存在することによってスリット１７の奥部に加わる力を分散し，スリット１７の最奥部が破断してしまうことを防ぐので，更に耐久性の良い防水キャップ１０を提供できる。
【００２３】
ここで，図６を用いて，上記第１から第３実施形態に対応する終端部１５の具体的な構成例をまとめて示す。この図において左側には上面図が，右側には下面図が示されている。
尚，図６で示されるこれらの構成例は，特に図示していないが前記第２実施形態に適応しても良いことはいうまでもない。
図６（ａ）は既に詳述した第１実施形態の防水キャップ１０の終端部１５を示す概略図であり，図６（ｂ）は図６（ａ）で示される第１実施形態の他の実施形態で，終端部１５の略中央部に貫通孔１８を備えたものである。
また，図６（ｃ）は本発明の第３実施形態における他の実施形態の防水キャップ１０の概略図であり，終端部１５の略中央部に貫通孔１８を備えない例である。図６（ｄ）は既に詳述した第３実施形態の防水キャップ１０の概略図であり，終端部１５の略中央部には貫通孔１８が形成されている。
更に，図６（ｅ）と図６（ｆ）は上記第１及び第３実施形態に適応した終端部１５とは異なる終端部を備えた例を示しており，この実施形態が以下に詳述する本発明の第４実施形態である。
【実施例４】
【００２４】
この第４実施形態における防水キャップに備えられた終端部１５と，既に詳述した防水キャップに備えられた終端部１５は，以下に示す２点においてその構成が異なる。先ず図６（ｅ）と図６（ｆ）において２８で示されている貫通孔である。この貫通孔２８は上記実施形態と同様に終端部１５の略中央部に形成されているものの，前記防水キャップ１０の内部に挿通する同軸ケーブル２０の内で最も細径なものの外径より小さい寸法で形成された，前記終端面１４を貫通する角孔からなる点で異なる。
次にスリット１７である。本発明の第４実施形態におけるスリット１７は，前記貫通孔２８の辺２８ａから前記終端面１４外側に向かう方向に形成されており，しかも，夫々のスリット１７は互いに交差しないように前記終端面１４に配置されているばかりでなく，当該スリット１７の形成方向の軸線が前記終端面１４の略中央部を向かないように配置されている。
尚，図６（ｅ）と図６（ｆ）における貫通孔２８を，前記実施形態のように丸孔１８でしても良いが，この場合は，貫通孔１８の接線方向にスリット１７を形成し，当該スリット１７の配置は，上述したような配置となるように備えさせれば良い。
【００２５】
ここで，図６（ｄ）のように構成された終端部１５を有した第３実施形態の防水キャップ１０と，図６（ｅ）のように構成された終端部１５を有した第４実施形態の防水キャップ１０について，図７及び図８を用いてその違いを具体的に説明する。この図において図７は本発明の第３実施形態に係る防水キャップの概略図面であり，（ａ）は防水キャップの下面図，（ｂ）は同軸ケーブルに防水キャップを装着したときの下面図，（ｃ）は（ｂ）は同軸ケーブルに防水キャップを装着したときの側面図である。また，図８は本発明の第４実施形態に係る防水キャップの概略図面であり，（ａ）は防水キャップの下面図，（ｂ）は同軸ケーブルに防水キャップを装着したときの下面図，（ｃ）は同軸ケーブルに防水キャップを装着したときの側面図である。
【００２６】
先ず，図７で示される第３実施形態である。図７（ｂ）に示されるように，同軸ケーブル２０に防水キャップ１０を挿通すると，スリット１７が開くことによって挟持片１６が拡開すると同時に，４つの挟持片１６は，それ自体が持つ付勢力によって同軸ケーブル２０の外部絶縁体２１を挟持する。具体的には，図７（ｃ）に示されるように，貫通孔１８の防水キャップ１０内部における開口端１８ａと，貫通孔１８の開口端１８ａの周縁，つまり前記挟持片１６の内側の先端部分１６ａが，夫々同軸ケーブル２０の外部絶縁体２１に当接することで，同軸ケーブル２０の外部絶縁体２１を挟持している。
つまり，この実施形態における防水キャップ１０は，４箇所の貫通孔１８の開口端１８ａを含む挟持片１６の先端部分１６ａでもって，同軸ケーブル２０における外部絶縁体２１の，同軸ケーブル２０の軸線に直交する面に略平行な円周上を挟持するように構成されているのである。
【００２７】
このように構成された防水キャップ１０における水の流れ具合を模式的に示したのが，図７（ｃ）に示した矢印である。この図に示されるように，防水キャップ１０の表面を流れ落ちてくる雨水（実線の矢印で示されている。）は，終端部１５の下方を伝って挟持片１６の先端部１６ａ，若しくは，先端部１６ａから同軸ケーブル２０に伝わってから下方に流れ落ちる。一方，防水キャップ１０の取り付けが悪かったりして，防水キャップ１０の内部に雨水が浸入した場合は，この雨水（破線の矢印で示されている。）は終端部１５の底部に流れ落ちてきて，貫通孔１８の開口端１８ａ周りに溜まるが，最終的にはスリット１７の隙間から溢れるようにして下方に流れ落ち，防水キャップ内に溜まることはないことから，屋外用機器２と同軸ケーブル２０の接続部分を雨水から保護することができる。
【００２８】
次に，図８で示される第４実施形態である。この実施形態も上記実施形態と同様に，同軸ケーブル２０に防水キャップ１０を挿通すると，スリット１７が開くことによって挟持片１６が拡開すると同時に，４つの挟持片１６は，それ自体が持つ付勢力によって同軸ケーブル２０の外部絶縁体２１を挟持する（図８（ｂ）参照）。具体的には，図８（ｃ）に示されるように，貫通孔２８の防水キャップ１０内部における辺２８ａと，貫通孔２８の辺２８ａの周縁，つまり前記挟持片１６の内側の先端部分１６ａが夫々同軸ケーブル２０の外部絶縁体２１に当接することで，同軸ケーブル２０の外部絶縁体２１を挟持している。ところがこの実施形態におけるスリット１７は，上述したように，前記貫通孔２８の辺２８ａから前記終端面１４外側に向かう方向に形成されており，しかも，夫々のスリット１７は互いに交差しないように前記終端面１４に配置されているばかりでなく，当該スリット１７の形成方向の軸線が前記終端面１４の略中央部を向かないような配置に備えられていることから，この実施形態における挟持片１６の形状は，図７の実施形態の挟持片１６のように対称でなくなる。このような形状に形成された挟持片１６は，同軸ケーブル２０が挿入されることによって下方に湾曲し同軸ケーブル２０の外部絶縁体２１に当接すると，その当接面は図における右側に傾斜するように当接する。
つまり，この実施形態における防水キャップ１０は，前記第３実施形態とは異なり，４箇所の貫通孔１８の開口端１８ａを含む挟持片１６の先端部分１６ａでもって，夫々が同軸ケーブル２０における外部絶縁体２１を，同軸ケーブル２０の軸線に直交する面に対してやや傾いた状態で挟持するように構成されているのである。
【００２９】
このように構成された防水キャップ１０における水の流れ具合を模式的に示したのが，図８（ｃ）に示した矢印である。この図に示されるように，防水キャップ１０の表面を流れ落ちてくる雨水（実線の矢印で示されている。）は，終端部１５の下方を伝って挟持片１６の先端部１６ａ，若しくは，先端部１６ａから同軸ケーブル２０に伝わってから流れ落ちる。一方，防水キャップ１０の取り付けが悪かったりして，防水キャップ１０の内部に雨水が浸入した場合は，この雨水（破線の矢印で示されている。）は終端部１５の底部に流れ落ちてきて，貫通孔１８の開口端１８ａ周りに流れるのであるが，上述したように前記開口端１８ａとその周縁（即ち，挟持片１６の先端部分１６ａ）がやや傾きながら同軸ケーブル２０の外部絶縁体２１に当接していることによって，雨水は速やかにスリット１７の隙間から下方に流れ落ち，防水キャップ内に溜まることはないことから，屋外用機器２と同軸ケーブル２０の接続部分を雨水から保護することができる。つまり，本発明の第４実施形態の防水キャップは，上記実施形態より内部に入った雨水の排水性が極めて良好になるのである。
これらのことを勘案して，本発明の実施形態にかかる防水キャップは，上述のように，合成樹脂材等の柔軟で，しかも，弾性力の優れ，更に，粘性があると共に，雨水等をはじく撥水性の良好な材質で作成するのが望ましく，例えば塩化ビニルなどによって形成すればよい。
【００３０】
以上，本発明の実施形態に係る防水キャップによれば，多様な径を有した同軸ケーブルに対応できる優れた汎用性を有しているばかりでなく，予め同軸コネクタ５が取り付けられた同軸ケーブル２０であっても，防水キャップの終端面１５を同軸コネクタ５に押し付けるだけの簡単操作で同軸ケーブル２０に挿着できるので，極めて作業性の良い防水キャップを提供できる。
また，本発明の実施形態に係る防水キャップは，予め同軸コネクタ５が取り付けられた同軸ケーブル２０にも対応させたことによって，従来技術のように屋根上などの危険な場所での同軸ケーブル２０の段剥き加工や，同軸コネクタ５の取り付け作業などの危険作業をしなくても良くなり，取り付け作業における安全性の優れた防水キャップを提供できる。
また，本発明の実施形態に係る防水キャップは，終端面１４をスリット１７によって分割することによって形成される挟持片１６の存在によって，防水キャップが同軸ケーブル２０を伝って下方にずり落ちることなく，同軸コネクタ５の近傍の下方における任意の位置に保持された状態で存在させておくことができるので，同軸コネクタ５の螺合作業において防水キャップを指先等で押えておく必要がなく，レンチ等を使っての緊締作業を容易に行うことができる。更に同軸コネクタ５の近傍に防水キャップを保持させておくことで，螺合作業完了後に直ちに防水キャップを上に移動できるなど，極めて作業性の良い防水キャップを提供できる。
更に，このように予め同軸コネクタ５を備えた同軸ケーブル２０の取り付けが簡単に行うことができる構成であっても，防水キャップ内部に浸入した雨水を下端から排水することができるため，たとえ防水キャップ内に雨水が浸入したとしても直ちに排水し，屋外用機器２とコネクタ５との接続部分に水が入って接触不良を起こしたりすることを防止できるのである。
また，台風などにおいて雨水が強風で吹き上げられる最悪の条件においても，浸入した雨水は直ちに排水されるばかりでなく，接続部分より下の部分（即ち，筒状本体部１２）の長さを長めに形成したことによって，たとえ終端部１５側から浸入したとしても接続部分に達することがない。
【００３１】
更に，第３実施形態の防水キャップにあっては，前記貫通孔１９をスリット１７の最奥部に設けたことによって，外径の大きな同軸コネクタ５の挿入時に挟持片１６が拡開したことによって，スリット１７の奥部に力が加わったとしても，前記貫通孔１９がその力を分散し，スリット１７の最奥部が破断してしまうことを防ぐので，更に耐久性の良い防水キャップを提供できる。
【００３２】
更に，第４実施形態の防水キャップにあっては，スリット１７の特長的な配置によって，４箇所の貫通孔１８の開口端１８ａを含む挟持片１６の先端部分１６ａでもって，夫々が同軸ケーブル２０の軸線に直交する面に対してやや傾いた状態で挟持するように構成されるので，雨水は速やかにスリット１７の隙間から下方に流れ落ち，防水キャップ内に溜まることはないことから，屋外用機器と同軸ケーブルの接続部分を雨水から保護することができる。
尚，本発明は，以下に例示するように，本発明の趣旨を逸脱しない範囲で各部の構成を適宜に変更して実施することも可能である。
既に詳述した実施形態は，その説明のために同軸ケーブルを用いた例を示したが，特にこの実施形態に限定されるものでなく，屋外用機器２の信号入出力端子と接続する他のケーブルに適応しても良いことはいうまでもない。
【符号の説明】
【００３３】
２…屋外用機器，３…筒状台座，４…信号出力端子（信号入力端子），５…同軸コネクタ，６…固定リング，７…ツマミ，９…外付け部品（フィルター，アッテネーター），１０…防水キャップ（第１実施形態，第３実施形態），１１…装着部，１２…筒状本体部，１２ａ…開口端，１３…筒状体，１４…終端面，１５…終端部，１６…挟持片，１６ａ…挟持片の先端部，１７…スリット，１８…貫通孔，１８ａ…開口端，１９…貫通孔，２０…同軸ケーブル，２１…外部絶縁体，２８…角孔，２８ａ…辺，３０…防水キャップ（第２実施形態），４０…防水キャップ（従来技術），４３…位置決めマーカ，４３ａ…切り口，４４…位置決めマーカ，４５…終端部。
【図１】
2010231890.tif 000003
【図２】
2010231890.tif 000004
【図３】
2010231890.tif 000005
【図４】
2010231890.tif 000006
【図５】
2010231890.tif 000007
【図６】
2010231890.tif 000008
【図７】
2010231890.tif 000009
【図８】
2010231890.tif 000010
【図９】
2010231890.tif 000011